(57)【要約】【課題】レンズと光記録媒体等との傾きマージンを大とし、かつレンズの小径化を可能とする形状のソリッドイマージョンレンズとその形成方法を提供する。【解決手段】ソリッドイマージョンレンズの対物側先端部から球状部１に向かって少なくとも一部に傾斜部４を形成して、ソリッドイマージョンレンズ１１への入射光Ｌｉの入射角度をθｉとしたとき、傾斜部４の光軸ｃからの傾斜角度θを、  θ≧θｉとして構成とする。【選択図】図６  
2005302265.tif 000002
【特許請求の範囲】
【請求項１】
対物側先端部の少なくとも一部に傾斜部が形成され、
入射光の入射角度をθｉとしたとき、上記傾斜部の光軸からの傾斜角度θが、
θ≧θｉ
とされて成る
ことを特徴とするソリッドイマージョンレンズ。
【請求項２】
上記傾斜部の先端部に、対物側に突出する凸状部が設けられて成る
ことを特徴とする請求項１記載のソリッドイマージョンレンズ。
【請求項３】
上記凸状部は、その対物側に突出する高さをｈ、上記光軸から上記凸状部の縁部までの長さをｙとし、また上記光軸から上記傾斜部の対物側の縁部までの長さをｚ、上記ソリッドイマージョンレンズと対象物との間隔をｄとしたとき、
ｔａｎ−１（ｈ／ｙ）＜９０°−θｉ
かつ
ｔａｎ−１（（ｄ＋ｈ）／ｚ））≧０．１０°
かつ
ｔａｎ−１（ｄ／ｙ）≧０．１０°
の関係を満たす形状とされて成る
ことを特徴とする請求項２記載のソリッドイマージョンレンズ。
【請求項４】
上記ソリッドイマージョンレンズの対物側とは反対側の球状部が半球状とされ、上記球状部の曲率半径をｒとすると、上記先端部の先端面が、直径が略rの球に略外接する形状とされた
ことを特徴とする請求項１記載のソリッドイマージョンレンズ。
【請求項５】
上記ソリッドイマージョンレンズの対物側とは反対側の球状部が半球状とされ、上記球状部の曲率半径をｒとすると、上記凸状部の先端面が、直径が略rの球に略外接する形状とされた
ことを特徴とする請求項２記載のソリッドイマージョンレンズ。
【請求項６】
上記ソリッドイマージョンレンズの対物側とは反対側の球状部が半球状とされ、上記球状部の曲率半径をｒとすると、上記凸状部の先端面が、直径が略rの球に略外接する形状とされた
ことを特徴とする請求項３記載のソリッドイマージョンレンズ。
【請求項７】
上記ソリッドイマージョンレンズの対物側とは反対側の球状部が超半球状とされ、上記球状部の曲率半径をｒ、屈折率をｎとすると、上記先端部の先端面が、半径が略ｒ／ｎの球に略外接する形状とされた
ことを特徴とする請求項１記載のソリッドイマージョンレンズ。
【請求項８】
上記ソリッドイマージョンレンズの対物側とは反対側の球状部が超半球状とされ、上記球状部の曲率半径をｒ、屈折率をｎとすると、上記凸状部の先端面が、半径が略ｒ／ｎの球に略外接する形状とされた
ことを特徴とする請求項２記載のソリッドイマージョンレンズ。
【請求項９】
上記ソリッドイマージョンレンズの対物側とは反対側の球状部が超半球状とされ、上記球状部の曲率半径をｒ、屈折率をｎとすると、上記凸状部の先端面が、半径が略ｒ／ｎの球に略外接する形状とされた
ことを特徴とする請求項３記載のソリッドイマージョンレンズ。
【請求項１０】
ソリッドイマージョンレンズと、該ソリッドイマージョンレンズと光軸を合致させ、対物側とは反対側に配置された光学レンズとより構成された集光レンズにおいて、
上記ソリッドイマージョンレンズは、その対物側先端部の少なくとも一部に傾斜部が形成され、
上記ソリッドイマージョンレンズへの入射光の入射角度をθｉとしたとき、上記傾斜部の光軸からの傾斜角度θが、
θ≧θｉ
とされて成る
ことを特徴とする集光レンズ。
【請求項１１】
上記ソリッドイマージョンレンズの上記傾斜部の先端部に、対物側に突出する凸状部が設けられて成る
ことを特徴とする請求項１０記載の集光レンズ。
【請求項１２】
ソリッドイマージョンレンズと、該ソリッドイマージョンレンズと光軸を合致させて対物側とは反対側に配置された光学レンズと、光源とが少なくとも設けられ、上記ソリッドイマージョンレンズ及び光学レンズから成る集光レンズによって上記光源からの出射光を収束させて光スポットを形成する光学ピックアップ装置において、
上記ソリッドイマージョンレンズは、その対物側先端部の少なくとも一部に傾斜部が形成され、
上記ソリッドイマージョンレンズへの入射光の入射角度をθｉとしたとき、上記傾斜部の光軸からの傾斜角度θが、
θ≧θｉ
とされて成る
ことを特徴とする光学ピックアップ装置。
【請求項１３】
上記ソリッドイマージョンレンズの上記傾斜部の先端部に、対物側に突出する凸状部が設けられて成る
ことを特徴とする請求項１２記載の光学ピックアップ装置。
【請求項１４】
ソリッドイマージョンレンズと、該ソリッドイマージョンレンズと光軸を合致させて対物側とは反対側に配置された光学レンズと、光源とが少なくとも設けられ、上記ソリッドイマージョンレンズ及び光学レンズから成る集光レンズによって上記光源からの出射光を収束させて光スポットを形成する光学ピックアップ装置を有し、上記集光レンズを光記録媒体のフォーカシング方向及び／又はトラッキング方向に制御駆動する制御駆動手段が設けられて成る光記録再生装置において、
上記ソリッドイマージョンレンズは、その対物側先端部の少なくとも一部に傾斜部が形成され、
上記ソリッドイマージョンレンズへの入射光の入射角度をθｉとしたとき、上記傾斜部の光軸からの傾斜角度θが、
θ≧θｉ
とされて成る
ことを特徴とする光記録再生装置。
【請求項１５】
上記ソリッドイマージョンレンズの上記傾斜部の先端部に、対物側に突出する凸状部が設けられて成る
ことを特徴とする請求項１４記載の光記録再生装置。
【請求項１６】
ソリッドイマージョンレンズの形成方法において、
レンズ材料に、傾斜部を形成する工程と、
上記レンズ材料の対物側に、凸状部を形成する工程と、
上記凸状部の対物面を形成する工程とを少なくとも有する
ことを特徴とするソリッドイマージョンレンズの形成方法。
【請求項１７】
上記凸状部を、その高さをｈ、上記光軸から上記凸状部の縁部までの長さをｙとし、また上記光軸から上記傾斜部の対物側の縁部の上記光軸からの長さをｚ、上記ソリッドイマージョンレンズと対象物との間隔をｄとしたとき、
ｔａｎ−１（ｈ／ｙ）＜９０°−θｉ
かつ
ｔａｎ−１（（ｄ＋ｈ）／ｚ））≧０．１０°
かつ
ｔａｎ−１（ｄ／ｙ）≧０．１０°
の関係を満たす形状として加工する
ことを特徴とする請求項１６記載のソリッドイマージョンレンズの形成方法。
【請求項１８】
上記ソリッドイマージョンレンズの対物側とは反対側の球状部を半球状とし、上記球状部の曲率半径をｒとすると、上記凸状部の先端面を、直径が略rの球に略外接する形状に加工する
ことを特徴とする請求項１６記載のソリッドイマージョンレンズの形成方法。
【請求項１９】
上記ソリッドイマージョンレンズの対物側とは反対側の球状部を半球状とし、上記球状部の曲率半径をｒとすると、上記凸状部の先端面を、直径が略rの球に略外接する形状に加工する
ことを特徴とする請求項１７記載のソリッドイマージョンレンズの形成方法。
【請求項２０】
上記ソリッドイマージョンレンズの対物側とは反対側の球状部を超半球状とし、上記球状部の曲率半径をｒ、屈折率をｎとすると、上記凸状部の先端面を、半径が略ｒ／ｎの球に略外接する形状に加工する
ことを特徴とする請求項１６記載のソリッドイマージョンレンズの形成方法。
【請求項２１】
上記ソリッドイマージョンレンズの対物側とは反対側の球状部を超半球状とし、上記球状部の曲率半径をｒ、屈折率をｎとすると、上記凸状部の先端面を、半径が略ｒ／ｎの球に略外接する形状に加工する
ことを特徴とする請求項１７記載のソリッドイマージョンレンズの形成方法。
【請求項２２】
上記凸状部の先端部を、フォーカスイオンビーム加工方法により加工する
ことを特徴とする請求項１６記載のソリッドイマージョンレンズの形成方法。
【請求項２３】
上記凸状部の先端部を、フォーカスイオンビーム加工方法により加工する
ことを特徴とする請求項１７記載のソリッドイマージョンレンズの形成方法。
【請求項２４】
上記凸状部の先端部を、フォーカスイオンビーム加工方法により加工する
ことを特徴とする請求項１８記載のソリッドイマージョンレンズの形成方法。
【請求項２５】
上記凸状部の先端部を、フォーカスイオンビーム加工方法により加工する
ことを特徴とする請求項１９記載のソリッドイマージョンレンズの形成方法。
【請求項２６】
上記凸状部の先端部を、フォーカスイオンビーム加工方法により加工する
ことを特徴とする請求項２０記載のソリッドイマージョンレンズの形成方法。
【請求項２７】
上記凸状部の先端部を、フォーカスイオンビーム加工方法により加工する
ことを特徴とする請求項２１記載のソリッドイマージョンレンズの形成方法。
【発明の詳細な説明】
【技術分野】
【０００１】
本発明は、ソリッドイマージョンレンズ（Solid Immersion Lens：固浸レンズ）と、これを用いた集光レンズ、光学ピックアップ装置及び光（もしくは光磁気）記録再生装置、またソリッドイマージョンレンズの形成方法に関し、さらに詳しくは、光学レンズの屈折率が大なる材料を用いて集光レンズの開口数を大にして光（もしくは光磁気）記録媒体に記録再生を行ういわゆるニアフィールド光記録再生方式に好適なソリッドイマージョンレンズ、集光レンズ、光学ピックアップ装置、光記録再生装置及びソリッドイマージョンレンズの形成方法に関するものである。
【背景技術】
【０００２】
コンパクトディスク（ＣＤ）、ミニディスク（ＭＤ）、デジタルヴァーサタイルディスク（ＤＶＤ）に代表される光記録媒体（光磁気記録媒体を含む）は、音楽情報、映像情報、データ、プログラム等の格納媒体として広く利用されている。しかしながら、更なる音楽情報、映像情報、データ、プログラム等の高音質化、高画質化、長時間化、大容量化のために、さらに大容量の光記録媒体及びこれを記録再生する光記録再生装置（光磁気記録再生装置を含む）が望まれている。
そこで、これらに対応するため、光記録再生装置では、その光源の例えば半導体レーザの短波長化や、集光レンズの開口数の増大化が図られ、集光レンズを介して収束する光スポットの小径化が図られている。
【０００３】
例えば、半導体レーザに関しては、発振波長が従来の赤色レーザの６３５ｎｍから４００ｎｍ帯に短波長化されたＧａＮ半導体レーザが実用化され、これにより光スポットの小径化が図られつつある。また、例えばそれ以上の短波長化については、２６６ｎｍの単一波長の光を連続発振するソニー株式会社製の遠紫外固体レーザＵＷ−１０１０などが発売されており、更なる光スポットの小径化も図られつつある。また、これ以外にもＮｄ：ＹＡＧレーザの２倍波レーザ（２６６ｎｍ帯）、ダイヤモンドレーザ（２３５ｎｍ帯）、ＧａＮレーザの２倍波レーザ（２０２ｎｍ帯）などの研究、開発が進められている。
【０００４】
また、ソリッドイマージョンレンズ（ＳＩＬ）に代表される開口数の大なる光学レンズを使って、例えば開口数１以上の集光レンズを実現するとともに、この集光レンズの対物面を光記録媒体と、その光源波長の１０分の１程度まで近接させることにより記録再生を行ういわゆるニアフィールド光記録再生方式が検討されている（例えば特許文献１参照。）。
【０００５】
このニアフィールド光記録再生方式では、光記録媒体と集光レンズとの距離を精度良く光学的なコンタクト状態に維持することが重要である。また、光源から出射されて集光レンズに入射する光束径が小になるとともに、光記録媒体と集光レンズとの距離も数十ｎｍ以下程度と非常に小さくなるため、光記録媒体と集光レンズとの傾きマージン、いわゆるチルトマージンが非常に小さくなり、集光レンズは形状的に大きく制約されることになる。
【０００６】
図４２Ａ及びＢに、ソリッドイマージョンレンズの一例の概略側面構成図及び平面構成図を示す。図４２Ａに示すように、ソリッドイマージョンレンズ１１は、半球状又は超半球状（図示の例においては超半球状）に形成され、光軸に沿う厚さが半球状の場合はｒ、超半球状の場合はｒ（１＋１／ｎ）として構成され、対物面９は例えば平面とされる。
このようなソリッドイマージョンレンズ１１と光学レンズとを、光記録媒体などの対物側から順に配置して、ニアフィールド集光レンズを構成することができる。
【０００７】
このような構成の集光レンズを例えば光記録再生装置に適用する場合は、２軸アクチュエータを有する光学ピックアップ装置に装着され、光記録媒体と集光レンズとの距離を光学的なコンタクト状態に維持する。光磁気記録に用いられる場合は、光学ピックアップ装置に、磁気記録再生に使用される磁気ヘッド装置が組み込まれ、同様に光記録媒体と集光レンズとの距離を光学的なコンタクト状態に維持する構成とされる。
【０００８】
また、ソリッドイマージョンレンズの形状としては、その他半球状又は超半球状のレンズの対物面を円錐状に加工した形状や、対物面の中心部分を残して磁気コイルをその周囲に設ける形状などが提案されている(例えば特許文献２参照。)。
【０００９】
【特許文献１】特開平５−１８９７９６号公開公報
【特許文献２】特開２００３−１６１８０１号公開公報
【発明の開示】
【発明が解決しようとする課題】
【００１０】
上述のニアフィールド光記録再生方式では、光記録媒体に対するフォーカシング方向及び／又はトラッキング方向に制御駆動される集光レンズの安定制御を図るために、レンズの小径化、小型化が求められるともに、光記録媒体の安定した記録再生が行えるように、光記録媒体とその集光レンズの対物面の傾きマージンを大とする必要がある。
【００１１】
例えば、ソリッドイマージョンレンズの対物面を円錐形状にし、かつその円錐先端部分を平面に加工することにより、ソリッドイマージョンレンズの対物面と光記録媒体との距離を数十ｎｍ程度の微小な距離にした場合でも、レンズと光記録媒体との傾きマージンをある程度確保することができる。
【００１２】
しかしながら、このように対物側を円錐形状とするソリッドイマージョンレンズを形成する場合、円錐形状の傾斜角度によっては、高い開口数のソリッドイマージョンレンズを得がたいとか、またはレンズを保持する保持体との接着を良好に行えない恐れがある。
また、このように対物側を円錐形状にする場合は、現状の加工技術では、レンズの小径化に限界がある。
これについて説明すると、通常のソリッドイマージョンレンズの形成方法としては、例えば立方体形状の高屈折率材料を略球形状のいわゆるボールレンズに加工し、これを更に半球状や超半球形状に加工し、次にその対物面を円錐形状にする方法が挙げられる。
この方法で、例えば直径が１ｍｍ程度の超半球形状のソリッドイマージョンレンズを機械的な研磨や切削手段によって形成する場合、その対物面すなわち円錐形状の頂部を数十ミクロン以下程度の半径の平坦面に精度良く加工することは、極めて難しい。現状では、直径５０μｍ程度までの対物面を形成することは可能ではあるが、形状のばらつきを抑えて生産性良く形成することは難しい。
【００１３】
また、ＲＩＥ（反応性イオンエッチング）等の半導体加工技術による微細加工手段を使って、円錐形状に加工したレンズの対物面の一部に微小な平面を加工しようとすると、円錐部分を、例えばフォトリソグラフィを利用してマスクするなどの煩雑な工程が必要となり、加工時間が長くなるという問題がある。
またこの場合でも、ソリッドイマージョンレンズの曲率半径が数ｍｍ程度と大きい場合は、結局、対物面の端部分と光記録媒体との傾きマージンで制限されてしまうという問題がある。
【００１４】
更に、上述したようにソリッドイマージョンレンズを含む光学系の各レンズの大きさは、これを搭載する２軸アクチュエータの重量負担を軽減してフォーカシング特性やトラッキング特性、またシーク時間の短縮等のサーボ特性の向上を図るために、更なる小径化が求められており、特にソリッドイマージョンレンズは、高屈折率を実現する比較的高価な材料を用いることが多いため、できるだけ小径化することが望まれている。
しかしながら、ソリッドイマージョンレンズの曲率半径を極めて小さく、例えば半径０．５ｍｍ以下の曲率半径とする場合は、上述の形成方法により特に先端部を加工することが更に難しくなるという問題がある。
【００１５】
本発明は、上述の問題に鑑みて、ソリッドイマージョンレンズにおいて、レンズと光記録媒体等などの対象物との傾きマージンを十分確保し、かつレンズの小径化を可能とする形状のソリッドイマージョンレンズとその形成方法を提供し、傾きマージンを大とすることによって、これを用いた集光レンズ、光学ピックアップ装置及び光記録再生装置の組み立て精度のマージンを大とすることを目的とする。
【課題を解決するための手段】
【００１６】
上記課題を解決するために、本発明によるソリッドイマージョンレンズは、その対物側先端部から上記球状部に向かって少なくとも一部に傾斜部が形成され、ソリッドイマージョンレンズへの入射光の入射角度をθｉとしたとき、上記傾斜部の光軸から傾斜角度θが、
θ≧θｉ
とされて成ることを特徴とする。
更に、本発明は、上述のソリッドイマージョンレンズにおいて、上記傾斜部の先端部に、対物側に突出する凸状部が設けられて成ることを特徴とする。
【００１７】
また、他の本発明のソリッドイマージョンレンズは、上述の構成によるソリッドイマージョンレンズにおいて、凸状部を、その対物側の先端部の高さをｈ、光軸から縁部までの長さをｙとし、また光軸から傾斜部の対物側の縁部までの長さをｚ、ソリッドイマージョンレンズと対象物との間隔をｄとしたとき、
ｔａｎ−１（ｈ／ｙ）＜９０°−θｉ          ・・・（１）
かつ
ｔａｎ−１（（ｄ＋ｈ）／ｚ））≧０．１０°    ・・・（２）
かつ
ｔａｎ−１（ｄ／ｙ）≧０．１０°            ・・・（３）
の関係を満たす形状として構成することを特徴とする。
【００１８】
更に、本発明によるソリッドイマージョンレンズは、上述の各構成によるソリッドイマージョンレンズにおいて、その対物側とは反対側の球状部を半球状として、球状部の曲率半径をｒとすると、上記先端部もしくは凸状部の先端面を、直径が略rの球に略外接する形状とするか、あるいは、球状部を超半球状として、上記球状部の曲率半径をｒ、屈折率をｎとすると、上記先端部もしくは凸状部の先端面を、半径が略ｒ／ｎの球に略外接する形状とすることを特徴とする。
【００１９】
また、本発明による集光レンズは、上述の本発明構成によるソリッドイマージョンレンズと、このソリッドイマージョンレンズと光軸を合致させ、対物側とは反対側に配置された光学レンズとより構成することを特徴とする。
更に、本発明による光学ピックアップ装置は、上述の本発明構成によるソリッドイマージョンレンズと、このソリッドイマージョンレンズと光軸を合致させて対物側とは反対側に配置された光学レンズと、光源とが少なくとも設けられ、ソリッドイマージョンレンズ及び光学レンズから成る集光レンズによって光源からの出射光を収束させて光スポットを形成する構成とすることを特徴とする。
また、本発明による光記録再生装置は、上述の本発明構成によるソリッドイマージョンレンズを用いた集光レンズを具備する光学ピックアップ装置を有し、集光レンズを光記録媒体のフォーカシング方向及び／又はトラッキング方向に制御駆動する制御駆動手段を設ける構成とすることを特徴とする。
【００２０】
更に、本発明によるソリッドイマージョンレンズの形成方法は、レンズ材料体に、傾斜部を形成する工程と、レンズ材料体の対物側に、凸状部を形成する工程と、凸状部の対物面を形成する工程とを少なくとも有することを特徴とする。
【００２１】
また、本発明によるソリッドイマージョンレンズの形成方法は、上述の形成方法において、ソリッドイマージョンレンズの凸状部を、上記式（１）〜（３）の関係を満たす形状として加工することを特徴とする。
更に、本発明によるソリッドイマージョンレンズの形成方法は、上述の各形成方法において、ソリッドイマージョンレンズの対物側とは反対側の球状部を半球状として、球状部の曲率半径をｒとすると、上記先端部もしくは凸状部の先端面を、直径が略rの球に略外接する形状とするか、あるいは、球状部を超半球状として、球状部の曲率半径をｒ、屈折率をｎとすると、上記先端部もしくは凸状部の先端面を、半径が略ｒ／ｎの球に略外接する形状とすることを特徴とする。
また、本発明によるソリッドイマージョンレンズの形成方法は、上述の各形成方法において、ソリッドイマージョンレンズの凸状部の先端部を、フォーカスイオンビーム加工方法により加工することを特徴とする。
【発明の効果】
【００２２】
上述の本発明によるソリッドイマージョンレンズは、その対物側先端部から球状部に向かって少なくとも一部に傾斜部を形成し、ソリッドイマージョンレンズへの入射光の入射角度をθｉとしたとき、傾斜部の光軸から傾斜角度θを、
θ≧θｉ
として構成することにより、入射光を確実に先端部に集光させ、また、保持体への接着領域を確保してより安定な保持を可能とする。
また、上述のソリッドイマージョンレンズにおいて、傾斜部の先端部に、対物側に突出する凸状部を設ける構成とすることによって、凸状部の対物面を微小面積とすることができ、光記録媒体等との傾きマージンを、従来に比して大とすることができる。更に、この凸状部を形成する際の加工体積は、円錐形状を形成する加工体積と比較して小となることから、凸状部のみを半導体加工技術などにより加工形成することによって、従来の機械的加工のみによる場合と比較して、微小な面積の対物面を形成することが可能となり、これにより、ソリッドイマージョンレンズ自体の小径化が可能となる。
【００２３】
また、本発明によるソリッドイマージョンレンズにおいて、上記式（１）〜（３）の条件を満たすように形成することによって、最大開口数の得られる入射角の入射光を確実に遮ることなく対物面に集光することができるとともに、その傾きマージンを確実に０．１０°以上とすることができて、従来のソリッドイマージョンレンズと比較して対物面と光記録媒体との傾きマージンを大きくし、かつ、最大の開口数を得られるソリッドイマージョンレンズを容易に提供することが可能となる。
【００２４】
更に、本発明によるソリッドイマージョンレンズにおいて、その先端部を、球状部が半球状の場合は、直径が略rの球に略外接する形状とするか、又は球状部が超半球状の場合は、半径が略ｒ／ｎの球に略外接する形状とすることによって、入射光の光軸のずれに対して許容範囲を有する構成とすることができ、このソリッドイマージョンレンズと光記録媒体等の対象物との傾きマージンと、ソリッドイマージョンレンズと他の光学レンズとの組み立て精度のマージンとを、共に大とすることができ、高開口数のソリッドイマージョンレンズを容易に得ることができる。
【００２５】
そして、このような本発明構成のソリッドイマージョンレンズを用いた集光レンズによれば、ソリッドイマージョンレンズと光記録媒体等との傾きマージンを従来に比して大とすることができることから、光学レンズとの組み立て精度を大とすることができて、開口数が大なる集光レンズを従来に比して容易に組み立てることが可能となる。
また、この集光レンズを用いて構成される光学ピックアップ装置及び光記録再生装置においては、ソリッドイマージョンレンズと光記録媒体との傾きマージンを大とし、またレンズの最大開口数を得る入射光を確実に集光することができ、その組み立て精度のマージンを従来に比して大とすることができる。
そして、ソリッドイマージョンレンズの小径化も可能となることから、この集光レンズを用いて構成される光学ピックアップ装置及び光記録再生装置では、光記録媒体のフォーカシング方向、もしくは、且つトラッキング方向に制御駆動される集光レンズの安定制御を図ることができるとともに、フォーカシングサーボやトラッキングサーボやシーク時間等のサーボ特性の向上を図ることが可能となる。
【００２６】
また、本発明によるソリッドイマージョンレンズの形成方法によれば、レンズ材料体に、傾斜部を形成する工程と、レンズ材料体の対物側に、凸状部を形成する工程と、凸状部の対物面を加工する工程とを少なくとも有することから、傾斜部を機械加工で形成し、凸状部を半導体加工技術などにより形成することによって、従来に比して対物面を微小面積とすることができ、この対物面の加工時間及び加工体積を小とすることができる。
したがって、本発明のソリッドイマージョンレンズの形成方法によれば、対物面と光記録媒体との傾きマージンが大で、かつ開口数が大なる集光レンズを容易に得ることが可能となる。
【００２７】
更に、本発明のソリッドイマージョンレンズの形成方法において、ソリッドイマージョンレンズの凸状部を、上記式（１）〜（３）の関係を満たす形状として加工することによって、上述したように、従来のソリッドイマージョンレンズと比較して対物面と光記録媒体との傾きマージンを大きくし、かつ、最大の開口数を得られるソリッドイマージョンレンズを形成することができる。
【００２８】
また、本発明によるソリッドイマージョンレンズの形成方法において、凸状部の先端部を、球状部が半球状の場合は直径が略ｒの球に略外接する形状とするか、もしくは、球状部が超半球状の場合は半径が略ｒ／ｎの球に略外接する形状とすることによって、光記録媒体等の対象物との傾きマージンを大とし、これにより他の光学レンズとの組み立て精度のマージンが大とされたソリッドイマージョンレンズを形成することができる。
【００２９】
更に、上述のソリッドイマージョンレンズの形成方法において、ソリッドイマージョンレンズの凸状部の先端部を、上記式（１）〜（３）の関係を満たし、かつ球状部が半球状の場合は直径が略ｒの球に外接するか、または球状部が超半球状の場合は半径が略ｒ／ｎの球に略外接する形状に加工することにより、光記録媒体等の対象物との傾きマージンを大とし、また他の光学レンズとの組み立て精度のマージンを大とすることができる高開口数のソリッドイマージョンレンズを容易に形成することができる。
【００３０】
また更に、上述の各ソリッドイマージョンレンズの形成方法において、その凸状部の先端部を、フォーカスイオンビーム加工方法により加工することによって、従来と比較して極めて微小な面積の対物レンズを確実に精度良く形成することができる。
【発明を実施するための最良の形態】
【００３１】
以下本発明を実施するための最良の形態の例を、図面を参照して説明する。
本発明は、ソリッドイマージョンレンズ及びその形成方法と、このソリッドイマージョンレンズと光軸を合致させ、対物側とは反対側に配置された光学レンズとで構成された集光レンズ、更にこの集光レンズを有し、いわゆるニアフィールド光記録再生方式を採用する光学ピックアップ装置と、この光学ピックアップ装置を有する光記録再生装置に適用することができる。
【００３２】
まず、本発明によるソリッドイマージョンレンズ及びその形成方法の説明に先立って、これら集光レンズ、光学ピックアップ装置、光記録再生装置に適用した実施の形態の例について図１〜図５を参照して説明する。なお、図１〜図５において、ソリッドイマージョンレンズの形状は、その配置構成を容易に説明するために、本発明構成による一例を簡略化して示すものであるが、後述する図６以後の例を含む本発明構成の形状を採り得るものであることはいうまでもない。
【００３３】
図１は、本発明によるソリッドイマージョンレンズを用いた集光レンズの一例を示す概略構成図である。レンズの対象物の例えば光記録媒体３０に対し、本発明構成によるソリッドイマージョンレンズ１１、光学レンズ１２をこの順に光軸を合致させて配置して構成する。ソリッドイマージョンレンズ１１は、例えば曲率半径ｒの半球状又は超半球状、図示の例においては超半球状とされ、その光軸に沿う厚さは、半球状の場合はｒ、図示のように超半球状の場合は、屈折率をｎとすると、ｒ（１＋１／ｎ）とされる。このような構成とすることによって、光学レンズ１２の開口数ＮＡを超える高開口数の集光レンズ１３を提供することができる。
なお、実際にはソリッドイマージョンレンズ１１と光記録媒体３０とは互いに接触してはいないが、これらソリッドイマージョンレンズ１１及び光記録媒体３０の間隔はソリッドイマージョンレンズ１１の厚さと比較して十分に小さいため図１〜図５においてはその間隔を省略して示す。
【００３４】
図２は、図１に示すソリッドイマージョンレンズ及び集光レンズを用いた光学ピックアップ装置の光学系の構成の一形態を示す概略構成図である。図示しない光源及びフォトディテクタと、ソリッドイマージョンレンズ１１及び光学レンズ１２より成る集光レンズ１３との間に、例えば第１及び第２のビームスプリッタ１４及び１５が配置される。光記録媒体３０は、例えばディスク状であれば、図示を省略するスピンドルモータに装着され、所定の回転数で回転される。
【００３５】
また、図１及び図２に示す光学ピックアップ装置には、集光レンズ１３をトラッキング方向及びフォーカシング方向に制御駆動する手段が設けられる。
この手段としては、例えば一般的な光学ピックアップに用いられる２軸アクチュエータや、磁気ヘッド装置等に用いられるスライダ等が挙げられる。
これら集光レンズ１３の制御駆動手段の形態を次に示す。
【００３６】
図３は、制御駆動手段として２軸アクチュエータを用いた光学ピックアップ装置の一例の概略構成図である。図３に示すように、集光レンズ１３は、そのソリッドイマージョンレンズ１１及び光学レンズ１２の光軸を合致させて保持体２０により固定され、この保持体２０がフォーカシング方向及び／又はトラッキング方向に制御駆動される２軸アクチュエータ１６に固着されている。
図３に示すように、２軸アクチュエータ１６は、集光レンズ１３をトラッキング方向に制御駆動させるトラッキング用コイル１７と、フォーカシング方向に制御駆動させるフォーカシング用コイル１７とより構成される。
【００３７】
そしてこの２軸アクチュエータ１６により、光記録媒体３０とソリッドイマージョンレンズ１１との距離を、例えば戻り光量をモニタし、その距離情報をフィードバックすることにより制御可能とし、ソリッドイマージョンレンズ１１と光記録媒体３０との距離をほぼ一定に保つようになされ、かつこのソリッドイマージョンレンズ１１と光記録媒体３０との衝突を避けるように制御される。
また、この２軸アクチュエータ１６において、トラッキング方向に戻り光量をモニタし、その位置情報をフィードバックすることにより、集光スポットを所望の記録トラックに移動させることが可能である。
【００３８】
次に、図１及び図２に示した集光レンズ１３の制御駆動手段として、スライダを採用した場合の概略構成図を図４に示す。
図４に示すように、集光レンズ１３を、トラッキング方向に制御駆動されるスライダ２１に固着して構成することもできる。このスライダ２１は、例えば光記録媒体３０の面触れ方向にのみ弾性を有するジンバル２２等の弾性体、または図示を省略する他の弾性体を介し、トラッキング方向に移動する可動光学部（図示せず）に支持される。そしてこの可動光学部を、リニアモータ等で構成された制御駆動手段によりトラッキング方向に制御駆動することによって、所定のトラック上に集光レンズ１３を対向させることができる。
そして、光記録媒体３０の回転に伴い発生する気体流が光記録媒体３０とスライダ２１との間に流れ込むとともに、弾性体の光記録媒体３０側への押圧力と釣り合う気体薄膜が形成され、スライダ２１が光記録媒体３０に対して一定の距離、例えば５０ｎｍの距離を保ちつつ浮上するように構成される。すなわち、光記録媒体３０を所定の回転数で回転させて光記録媒体３０からの情報の再生時あるいは、光記録媒体３０への情報の記録時において、集光レンズ１３を構成するソリッドイマージョンレンズ１１と光記録媒体３０との距離を、スライダ３２によりほぼ一定距離に保たれた状態とすることができる。
【００３９】
以下、光学ピックアップ装置の概略構成について、再び図２を参照して説明する。光源、例えば半導体レーザから出射された往路光はコリメータレンズ（図示せず）により平行光に変換され（Ｌ１）、第１のビームスプリッタ１４を透過し（Ｌ）、集光レンズ１３を介して光記録媒体３０の情報記録面に集光される。情報記録面で反射された復路光は集光レンズ１３を透過し、第１のビームスプリッタ１４で反射され（Ｌ２）、第２のビームスプリッタ１５に入射する。そしてこの第２のビームスプリッタ１５により分離された復路光(Ｌ３及びＬ４)は、フォーカシング用光検出器及び信号用光検出器（図示せず）に集光され、フォーカスシングエラー信号および再生ピット信号等が検出される。
【００４０】
また、第２のビームスプリッタで反射された復路光は、トラッキング用光検出器にも集光され、トラッキングエラー信号が検出される。なお、必要に応じてこの光学ピックアップ装置には、光記録媒体３０の面振れに対して、集光レンズ１３を固着する２軸アクチュエータ、もしくはスライダが追従した残りのフォーカスエラー成分および集光レンズの組み立て工程時に発生した誤差成分を、２枚のレンズの間隔を変えることで補正することができるリレーレンズを、第１のビームスプリッタ１４と光学レンズ１２との間に挿入し構成してもよい。
【００４１】
スライダ２１にソリッドイマージョンレンズ１１及び光学レンズ１２が固着されている場合は、スライダ２１が追従した残りのフォーカスエラー成分および集光レンズの組み立て工程時に発生した誤差成分を補正する手段として、集光レンズ１３を構成するソリッドイマージョンレンズ１１をスライダ２１に固定し、光学レンズ１２を例えば圧電素子等により光軸方向に可動するように構成してもよい。
【００４２】
また、スピンドルモータが複数の光記録媒体を装着する手段を有する光記録再生装置の場合は、図５の概略構成図に示すように、光軸をほぼ９０度曲げるミラー２３をスライダ２１に設ける構成が好適である。図５において、図４と対応する部分には同一符号を付して重複説明を省略する。このような構成の光記録再生装置は、光記録媒体間の間隔を小とすることができるので、結果的に装置の小型化、薄型化を図ることができる。
【００４３】
なお、上記した光学ピックアップ装置は、再生のみを行う再生専用、記録のみを行う記録専用、記録と再生の両方を行うことができる記録再生用を含むものである。また、上述した各光学ピックアップ装置は、光磁気記録方式と、ニアフィールド光再生方式を組み合わせることにより、その光ピックアップ装置の一部に磁気コイル等を組み込んだものを含む構成とすることもできる。また、光記録再生装置は、再生のみを行う再生専用装置、記録のみを行う記録専用装置、記録と再生の両方を行うことができる記録再生用装置を含むものである。
【００４４】
次に、本発明構成のソリッドイマージョンレンズの形状について説明する。
上述したように、本発明によるソリッドイマージョンレンズは、図６にその一例を光学レンズと組み合わせた概略構成図を示すように、ソリッドイマージョンレンズ１１において、その対物側先端部から球状部１に向かって少なくとも一部に傾斜部４を形成して、ソリッドイマージョンレンズ１１への入射光の入射角度をθｉとしたとき、傾斜部４の光軸からの傾斜角度θを、
θ≧θｉ
として構成する。
図６において、一点鎖線ｃは、ソリッドイマージョンレンズ１１と、その対物側とは反対側に配置した光学レンズ１２の光軸を示す。また、破線Ｒは、ソリッドイマージョンレンズ１１の光軸と直交する断面において、直径が２ｒとなる断面を示す。
【００４５】
ソリッドイマージョンレンズ１１の球状部１を半球状とする場合、超半球状とする場合のそれぞれの側面構成図及び平面構成図を図７Ａ及びＢ、図８Ａ及びＢに示す。図７及び図８において、図６と対応する部分には同一符号を付して重複説明を省略する。図７及び図８においては、傾斜部４の対物側の先端面５を平面状として示すが、後述するように、この部分に凸状部を設けてもよい。
図７Ａ及び図８Ａに示すように、ソリッドイマージョンレンズ１１は、対物側とは反対側の球状部１が半球状又は超半球状、図示の例では超半球状とされ、その曲率半径をｒ、屈折率をｎとすると、光軸に沿う方向の厚さは、球状部が半球状の場合はｒ、超半球状とする場合はｒ（１＋１／ｎ）とされる。
なお、以下の各例においては、球状部が超半球状の場合を代表として示し、球状部が半球状である場合の図示は省略する。
【００４６】
ここで、ソリッドイマージョンレンズ１１への入射光の入射角θｉは、
０°＜θｉ＜９０°
の範囲である。
これについて説明すると、ソリッドイマージョンレンズを利用した集光レンズの開口数は、図９にその一例の概略構成図を示すように、ソリッドイマージョンレンズ１１の対物面とは反対側に配置する光学レンズ１２からソリッドイマージョンレンズ１１への入射光の光軸からの入射角をθｉ０、ソリッドイマージョンレンズ１１内の入射角をθｉとし、光学レンズ１２の開口数をＮＡ、ソリッドイマージョンレンズ１１の屈折率をｎとすると、
ｓｉｎθｉ０＝ＮＡ
ｎｓｉｎθｉ０＝ｓｉｎθｉ
となるので、ソリッドイマージョンレンズ１１による集光レンズの実効的な開口数ＮＡ(SIL)は、
ＮＡ(SIL) ＝ｎ２ｓｉｎθｉ０
＝ｎｓｉｎθｉ
と表され、θｉが略９０°のときソリッドイマージョンレンズ１１による集光レンズの実効的な開口数は、ＮＡ(SIL) ＝ｎとなり、最大となる。
【００４７】
したがって、図１０Ａ〜Ｄにおいて、ソリッドイマージョンレンズ１１への入射角度θｉが徐々に大に変化する場合の概略構成図をそれぞれ示すように、入射角θｉが大きくなるほど、ソリッドイマージョンレンズによる集光レンズの実効的な開口数ＮＡ(SIL) は大となり、９０°に近づくにつれ最大値ｎに近づく。図９及び１０において、図６と対応する部分には同一符号を付して重複説明を省略する。
すなわち、入射角度θｉを大とするほうが高い開口数を得るためには望ましいが、製造マージンとしては、その形状を精度良く加工することが難しくなること、またレンズを保持する保持体との接着加工が難しくなることから、入射角度θｉを大とするほど小さくなり、歩留まりを高めることが難しくなる。
このため、製造マージンをある程度確保するためには、破線Ｒで示す位置近傍から入射させる構成が望ましく、すなわち実用的には入射角θｉをｔａｎ−１（ｎ）近傍とすることが望ましい。
【００４８】
ソリッドイマージョンレンズへの入射光の入射角度と、傾斜部の傾斜角度とを変化させた場合の、球状部に連なる傾斜部縁部の形状について検討した。
以下の各例においては、図１１〜図１６にその概略構成図を示すように、ソリッドイマージョンレンズ１１の対物側先端部から球状部１に向かって円錐形、又は角錐形状の傾斜部４を設けた例を示す。そして各例ともに、対物側先端面５が略円形とされ、その半径をｙ、傾斜部４の球状部に連なる縁部までの光軸ｃからの半径をｘ、光記録媒体３０と対向する対物面からの高さをａ、入射角θｉの光の入射位置の光軸ｃからの距離をｘｉ、対物面からの高さをａｉとして、下記の式より、θ、θｉから入射位置と傾斜部縁部との高低差ａｉ−ａを求めた。
ｔａｎθｉ＝ｘｉ／ａｉ
ｒ２＝ｘｉ２＋｛（ｒ／ｎ）−ａｉ｝２
ｔａｎθ＝ａ／（ｘ−ｙ）
ｒ２＝ｘ２＋｛（ｒ／ｎ）−ａ｝２
【００４９】
先ず、図１１〜図１３に示す例においては、球状部１の曲率半径ｒが０．４５ｍｍ、先端面５の半径ｙを２０μｍ、レンズの材料として屈折率ｎが２．０７５のＬＡＨ７９（（株）オハラ社製、商品名）を用い、開口数ＮＡが１．９９のソリッドイマージョンレンズを用いて、その入射光Ｌｉの入射角度θｉを７３．６度とし、傾斜部４の傾斜角度θを、図１１に示す実施例１においては８０度、図１２に示す実施例２においては入射角度θｉと等しい７３．６度、図１３に示す比較例１においては、７２．９度とした。
【００５０】
図１１に示す実施例１においては、傾斜部４の縁部の対物面からの高さａは７１．６μｍ、入射角度θｉの光の入射位置の高さａｉは１２９．９５μｍであり、その高低差は、５８．３５μｍであった。
図１２に示す実施例２においては、傾斜部４の縁部の対物面からの高さａは１２３．７μｍ、入射角度θｉの光の入射位置の高さａｉは１２９．９５μｍであり、その高低差は、６．２５μｍであった。
図１３に示す比較例１においては、傾斜部４の縁部の対物面からの高さａは１２９．９５μｍ、入射角度θｉの光の入射位置の高さａｉは１２９．９５μｍであり、その高低差は、０μｍであった。
これらの結果を以下の表１に示す。
【００５１】
【表１】
2005302265.tif 000003
【００５２】
この結果から明らかなように、傾斜部４の傾斜角度θが入射光の入射角度θｉより小さい場合は、入射光Ｌｉが傾斜部４の縁部と略一致してしまい、縁部において光の干渉を惹き起こすなど、入射光への影響を及ぼす。またこのとき、球状部１の周縁部全てが入射光の通過する面となるので、この部分にソリッドイマージョンレンズ１１の保持体２０を接着することができず、図１３に示すように、保持体２０の形状としては、例えば断面三角形状となり、その一面をソリッドイマージョンレンズ１１の傾斜部４のみに接着する構成となる。この場合、レンズ１１の外周側から光軸に向かう力を加えられず、安定な保持が困難となるという問題が生じる。
ソリッドイマージョンレンズ１１の安定な保持を確保するためにも、傾斜角度θは入射光の入射角度θｉ以上とすることが望ましいことがわかる。
【００５３】
次に、図１４〜図１６に示す例においては、球状部１の曲率半径ｒ、先端面５の半径ｙ、レンズの材料を上述の実施例１及び２、比較例１と同様とし、開口数ＮＡを１．８７とし、入射光Ｌｉの入射角度θｉを６４．３度とした場合について検討した。この場合、傾斜部４の傾斜角度θを、図１４に示す実施例３においては７０度、図１５に示す実施例４においては入射角度θｉと等しい６４．３度、図１６に示す比較例２においては、６３．３度とした。
図１４に示す実施例３においては、傾斜部４の縁部の対物面からの高さａは１５５．０μｍ、入射角度θｉの光の入射位置の高さａｉは２１６．６μｍであり、その高低差は、６１．６μｍであった。
図１５に示す実施例４においては、傾斜部４の縁部の対物面からの高さａは２０６．９μｍ、入射角度θｉの光の入射位置の高さａｉは２１６．６μｍであり、その高低差は、９．７μｍであった。
図１６に示す比較例２においては、傾斜部４の縁部の対物面からの高さａは２１６．６μｍ、入射角度θｉの光の入射位置の高さａｉは２１６．６μｍであり、その高低差は、０μｍであった。
これらの結果を以下の表２に示す。
【００５４】
【表２】
2005302265.tif 000004
【００５５】
すなわち、これらの場合においても、傾斜部４の傾斜角度θが入射光の入射角度θｉより小さい場合は、入射光Ｌｉが傾斜部４の縁部と略一致してしまい、入射光への影響を及ぼす。またこの場合においても、上述の比較例１と同様に、強固な保持を行い難く、安定な保持を確保するためにも、傾斜角度θは入射光の入射角度θｉ以上とすることが望ましいことがわかる。
【００５６】
次に、本発明によるソリッドイマージョンレンズにおいて、図１７にその要部の概略構成図を示すように、上記傾斜部の先端部に、対物側に突出する凸状部２を設け、より光記録媒体等との傾きマージンを大とした構成とする例について説明する。
本発明のソリッドイマージョンレンズ１１において、傾斜部４の形状としては、円錐状としてもよく、また例えば角錐状、また例えば球面の一部を構成する曲面を含む形状とすることができる。
また、凸状部２は、円筒形状でも角柱形状でもよく、その他光軸ｃと直交する断面形状が例えば楕円形、長方形、多角形である柱状、又は曲面状などの各種凸形状を採ることができる。図示の例においては、凸状部２は例えば円筒形状とされ、その周囲に光軸ｃと直交する平面に略平行な平面部３を形成し、その外周側に例えば円錐形状とされる傾斜部４を形成した例を示す。
なお、球状部１の周側面は２軸アクチュエータ、もしくはスライダとの固着面となる。
【００５７】
また、光磁気記録媒体に対するニアフィールド光記録再生方式においては、記録時及び／又は再生時に磁界が必要になることから、第１の光学レンズの対物面の一部に磁気コイル等を取り付けて構成してもよい。
【００５８】
このソリッドイマージョンレンズ１１の材料としては、例えば用いられる光記録再生装置の装備するレーザ光源など、入射光の波長に対して屈折率が大きく、また透過率が大きくかつ光吸収が小さい材料が好適である。例えば、高屈折率ガラスであるオハラ株式会社製のＳ−ＬＡＨ７９や、高屈折率セラミックス、高屈折率単結晶材料であるＢｉ４Ｇｅ３Ｏ１２、ＳｒＴｉＯ３、ＺｒＯ２、ＨｆＯ２、ＳｉＣ、ダイヤモンドなどが好適である。
【００５９】
また、これらのレンズ材料は、アモルファス構造、もしくは単結晶の場合には立方晶構造であることが望ましい。光学レンズ材料がアモルファス構造、もしくは立方晶構造である場合、その方位を精度良く合わせる必要がなく、従来のボール研磨方法や研磨装置が利用可能である。また、材料の方位を気にすることなく、光学レンズ作製のためのエッチングプロセスやポリッシングプロセスを容易に適用できるという利点がある。
【００６０】
そして、本発明によるソリッドイマージョンレンズの先端部の凸状部と例えばその周囲の平面部の加工については、公知である半導体加工に利用されているエッチング方法や装置が利用可能であり、特に、微細な先端部の加工については、たとえば、日立製作所製の集束イオンビーム加工観察装置ＦＢ−２１００などのフォーカスイオンビーム（ＦＩＢ）加工方法、及び加工装置を利用するのが好適である。
このように、凸状部をＦＩＢ法により形成することによって、直径数十ｎｍ程度の微小なスポットのイオンビームによって、容易かつ確実に対物面の幅を数μｍ程度に微細化することができ、これにより光記録媒体との傾きマージンを従来に比して確実に大としたソリッドイマージョンレンズを容易に形成することができる。
【００６１】
このような構成とするソリッドイマージョンレンズ１１によれば、その先端部の凸状部の面積は、例えば円筒形状とする場合、対物面の半径を数μｍから数十μｍ程度に微小化することが可能で、かつ加工前の円錐形状等の傾斜部４の半径も、数十μｍから数百μｍ程度に形成すればよいので、傾斜部の加工精度は余裕度をもたせた形成方法によって、対物面の面積の極めて微小なソリッドイマージョンレンズを実現できる。
換言すれば、本発明によるソリッドイマージョンレンズは、その対物面に凸状部を設ける構成とすることによって、この部分を球状部の曲率半径ｒとは無関係に容易に微小化することができることとなる。したがって、逆に球状部の曲率半径を従来に比して極めて小さくすることが可能となり、結果として、レンズの小径化、小型化を図ることができることから、これを用いた集光レンズを小型化し、サーボ特性の向上を図って、光学ピックアップ装置及び光記録再生装置の小型化、薄型化、高性能化を図ることが可能となる。
【００６２】
次に、図１８及び図１９に示す本発明構成のソリッドイマージョンレンズの先端部の概略構成図を参照して、その構成を入射光の経路とともに詳細に説明する。この場合、ソリッドイマージョンレンズ１１は、その球状部１を半球状又は超半球状、図示の例では超半球状とするもので、球状部１の曲率半径をｒ、屈折率をｎ、光軸に沿う方向の厚さをｒ（１＋１／ｎ）として、その対物側に例えば円錐形状の傾斜部４を設け、その先端部に図１７において説明した例と同様に、光軸ｃと直交する平面と略平行な例えばリング状の平面部３を有し、その内側に円筒形状等の凸状部２を設けた場合を示す。
【００６３】
このような構成において、対物側に間隔ｄをもって配置された光記録媒体３０に入射光Ｌｉを角度θｉで入射する場合、凸状部２の高さｈ、光軸ｃから縁部２Ａまでの長さｙを、上記式（１）の関係、すなわち
ｔａｎ−１（ｈ／ｙ）＜９０°−θｉ・・・（１）
として構成することによって、集光位置からこの縁部２Ａまでの角度θｅを９０°−θｉより小として、この場合の入射光Ｌｉを凸状部２の縁部２Ａによって遮ることなく、確実に対物面に集光させることができる。
なお、前述したように、開口数を大とし、かつ製造マージンの確保が容易な入射角度θｉは、
θｉ＝ｔａｎ−１（ｎ）
で与えられる。なお、この入射光Ｌｉは、球状部が超半球状とされるこの例においては、前述の図６に示す破線Ｒで示す断面において、光軸ｃからの距離がｒの位置から入射される光である。
【００６４】
このとき傾斜部４の光軸ｃと直交する平面からの傾斜角度θｓは、このθｅ以下とすることによって、同様に最大開口数を得る入射光を遮ることなくソリッドイマージョンレンズを構成することができる。
更に、この傾斜部４は機械加工により形成することから、その加工余裕度を考慮して、
θｓ≦θｅ−５°
程度とすることが望ましい。
【００６５】
また、図１９に示すように、光記録媒体３０の集光位置から、傾斜部４の縁部４Ａまでの角度θ１、凸状部２の縁部２Ａまでの角度θ２を共に大とすることによって、レンズと光記録媒体との傾きマージンを大とすることができる。すなわち、この光軸ｃから傾斜部４の対物側の縁部４Ａまでの長さをｚ、ソリッドイマージョンレンズと対象物との間隔をｄとしたとき、
ｔａｎ−１（（ｄ＋ｈ）／ｚ））≧０．１０°    ・・・（２）
かつ
ｔａｎ−１（ｄ／ｙ）≧０．１０°            ・・・（３）
の関係を満たす形状として構成することにより、凸状部２の傾きマージン及び傾斜部４の傾きマージンを０．１０°以上とすることができて、確実に従来に比して十分な傾きマージンを得ることができるソリッドイマージョンレンズ１１を提供することができる。
【００６６】
次に、本発明によるソリッドイマージョンレンズの形成方法の一例を、図２０Ａ〜Ｃの工程図を参照して説明する。図２０Ａ〜Ｃの各図においては、ソリッドイマージョンレンズの形状の理解を容易にするために、先端部の側面図及び対物側からみた平面図を並置して示す。
本発明によるソリッドイマージョンレンズの形成方法は、先ず図２０Ａに示すように、上述の材料よりなる例えばボール状のレンズ材料に円錐形状、角錐状又は曲面状等の傾斜部４を、機械加工、すなわち切削又は研磨等により形成し、その先端面５を例えば機械加工等によって平面状に形成する。
或いは、ボール状のレンズ材料を超半球状に形成して先端面５を平面状に形成した後、円錐状、角錐状または曲面状等に加工して傾斜部４を形成してもよい。
【００６７】
そして図２０Ｂに示すように、上述のＦＩＢ等の半導体加工技術により、先端面５の周囲の斜線を付して示すエッチング加工部６、すなわち例えば円筒形状の外側部分を除去する加工を行って、図２０Ｃに示すように、円柱状等の凸状部２を先端側に有するソリッドイマージョンレンズを形成することができる。
このとき、凸状部２の形状を、前述の図１８及び図１９において説明した形状に形成することによって、最大開口数を得る入射光を確実に入射させ、かつ媒体との傾きマージンを大としたソリッドイマージョンレンズを得ることができる。
【００６８】
次に、このような形成方法によりソリッドイマージョンレンズの先端部の寸法形状を変化させて形成した場合について詳細に説明する。
各例共に、図２１〜図２３に示す円錐形状の傾斜部４を有し、先端部が平面状の先端面５とされた形状のソリッドイマージョンレンズを形成し、その先端部を、ＦＩＢ法により円筒形状にエッチング加工して、凸状部２を有する構成のソリッドイマージョンレンズを形成した。図２１及び図２２において、図６と対応する部分には同一符号を付して重複説明を省略する。
この場合は、図２１にその入射光１２の入射態様を示すように、光記録媒体３０との傾きマージンは、光記録媒体３０の表面の集光位置から、先端面５の縁部５Ａにいたる角度となる。この角度をθ２´として示す。
【００６９】
以下、本発明構成による図２１〜２３に示す構成から先端面を更に加工した加工例における傾きマージンを評価した結果を説明する。以下に説明する各例ともに、前述の図１５に示す形状を加工例１として、円錐状傾斜部の平面状の先端面をその縁部から徐々にエッチング加工して、凸状部の縁部の光軸からの長さｙ、高さ（すなわちエッチング深さ）を変えて形成した。
【００７０】
［１］実施例５（加工例１〜４）
先ず実施例５においては、ソリッドイマージョンレンズのレンズ材料をＢｉ４Ｇｅ３Ｏ１２とし、入射光源として、波長４０５ｎｍのレーザを用いた。このレンズ材料の入射光波長に対する屈折率ｎは２．２１３であり、その最大開口数を得る入射角度θｉは６５．７°であるので、９０°―θｉは２４．３°となる。
この場合、傾斜部の傾斜角度θｓとしては、機械的加工の余裕度をもたせるために、入射角度θｉ−５°として、１９．３°とした。これにより、最大開口数を得る入射光を確実に遮ることなく集光させることができる。
【００７１】
そして、エッチング深さが０の状態、つまり加工例１においては、先端面の縁部の光軸からの長さを２０μｍとして比較例１のソリッドイマージョンレンズを形成した。この場合は、傾きマージンは＋／−０．０７°であった。
加工例２においては、凸状部２の縁部２Ａの光軸からの長さを１．２μｍ、高さｈ（エッチング深さ）を０．４２μｍにエッチング加工して形成した。この場合、ソリッドイマージョンレンズと光記録媒体との傾きマージンを＋／−１．１９°まで拡大することが可能となる。
【００７２】
また、加工例３においては、凸状部の縁部の光軸からの長さｙを５．０μｍ、その高さｈを１．７５μｍとすることで、ソリッドイマージョンレンズと光記録媒体との傾きマージンを＋／−０．２９°まで拡大することが可能である。
更に、加工例４においては、凸状部の縁部の光軸からの長さｙを１０．０μｍ、その高さｈを３．５１μｍとすることで、ソリッドイマージョンレンズと光記録媒体との傾きマージンを＋／−０．１４°まで拡大することができる。
【００７３】
これら加工例１から４までにおける、凸状部の縁部の光軸からの長さｙと、高さｈ、レンズと光記録媒体との傾きマージンをまとめたものを以下の表３に示す。なお、凸状部の縁部の光軸からの長さと高さについては、加工方法や加工装置、加工時間などにより、上記式（２）及び（３）に示した条件を満たす形状であれば、これ以外の組み合わせでも自由に選択可能である。
【００７４】
【表３】
2005302265.tif 000005
【００７５】
この表３の結果から明らかなように、ソリッドイマージョンレンズと光記録媒体との傾きマージンは比較例１では＋／−０．０７°しかなく、実施例１から実施例３のソリッドイマージョンレンズは、光記録媒体との傾きマージンが０．１０°を超えており、加工例１のレンズと比較して傾きマージンが更に大となっていることがわかる。
【００７６】
また、これら各例において、光記録媒体３０の集光位置から凸状部及び傾斜部の縁部までの角度θ１とθ２について、凸状部２の縁部の光軸からの長さｙに対する依存性を図２４に示す。なお、凸状部２の高さｈは、縁部の光軸からの長さｙの増加にしたがって増加する。
図２４から明らかなように、θ１は、凸状部２の光軸から縁部までの長さｙを増加させると単調に増加するのに対して、θ２は、長さｙの増加に対して、反比例して減少する。
ソリッドイマージョンレンズと光記録媒体との傾きマージンは、これらθ１及びθ２のうち小さいほうの角度に依存する。したがって、θ１＝θ２となる形状の凸状部２を、対物面に加工、形成することによって、ソリッドイマージョンレンズと光記録媒体との傾きマージンを最大にすることができる。
【００７７】
凸状部の形状を、上記式（２）及び（３）に示す関係を満たす形状とすることにより、これらの角度θ１及びθ２を共に、少なくとも０．１０°以上とすることができるものであり、特に上記加工例２〜４におけるように、傾きマージンを０．１０°を超える角度に増大化させることによって、より確実に光記録媒体との接触を回避することができ、従来に比して他の光学部品や、レンズ保持体等との組み立て精度のマージンを大とすることが可能なソリッドイマージョンレンズを提供することができることがわかる。
【００７８】
［２］実施例６（加工例１〜３）
この例においては、上述の実施例５と同様の材料によりソリッドイマージョンレンズを構成し、その対物側を円錐状に形成して対物面を平面状に加工形成した。この場合は、先端面の平面部分の半径（光軸から縁部までの長さ）を５０μｍとした。
【００７９】
この加工例１に対し、上述の実施例２〜４と同様に、ＦＩＢ法によってその先端部に円筒状の凸状部を形成した。
加工例２においては、凸状部の縁部の光軸からの長さｙを１．９μｍ、高さｈを０．６７μｍとした。この場合の光記録媒体との傾きマージンは＋／−０．７５°であった。
加工例３においては、凸状部の縁部の光軸からの長さｙを１０．０μｍ、高さｈを３．５１μｍとした。この場合の光記録媒体との傾きマージンは＋／−０．１４°であった。
【００８０】
これら加工例１〜３における、凸状部の縁部の光軸からの長さｙと、高さｈ、レンズと光記録媒体との傾きマージンをまとめたものを以下の表４に示す。
【００８１】
【表４】
2005302265.tif 000006
【００８２】
この表４の結果から明らかなように、ソリッドイマージョンレンズと光記録媒体との傾きマージンは比較例２では＋／−０．０３度しかなく、加工例２及び３のソリッドイマージョンレンズは、光記録媒体との傾きマージンが０．１０°以上となっており、加工例１のレンズと比較して傾きマージンが更に大となっていることがわかる。
【００８３】
また、これら各例において、光記録媒体３０の集光位置から凸状部及び傾斜部の縁部までの角度θ１とθ２について、凸状部２の縁部の光軸からの長さｙに対する依存性を図２５に示す。
図２５からも、加工例２及び３においては、角度θ１及びθ２を共に、少なくとも０．１０°以上とすることができ、比較例２と比較して確実に傾きマージンを大とすることができることがわかる。
【００８４】
［３］実施例７
次に、ソリッドイマージョンレンズを構成する材料として、高屈折率ガラスであるＳ−ＬＡＨ７９とした場合について、前述の各例と同様に、円錐形状の傾斜部を形成し、対物面を平面状に構成した加工例１を形成して、その先端部の凸状部をＦＩＢ法により加工形成し、傾きマージンについて評価した。この場合、加工例１における対物面の半径、すなわちその縁部の光軸からの距離は２０μｍとした。このときの光記録媒体との傾きマージンは＋／−０．０７°である。
【００８５】
加工例２においては、凸状部の縁部の光軸からの長さｙを１．１μｍ、高さｈを０．４２μｍとした。この場合の光記録媒体との傾きマージンは＋／−１．２０°であった。
加工例３においては、凸状部の縁部の光軸からの長さｙを５．０μｍ、高さｈを１．９０μｍとした。この場合の光記録媒体との傾きマージンは＋／−０．２９°であった。
加工例４においては、凸状部の縁部の光軸からの長さｙを２０．０μｍ、高さｈを３．７９μｍとした。この場合の光記録媒体との傾きマージンは＋／−０．１４°であった。
【００８６】
これら加工例１〜４における、凸状部の縁部の光軸からの長さｙと、高さｈ、レンズと光記録媒体との傾きマージンをまとめたものを以下の表５に示す。
【００８７】
【表５】
2005302265.tif 000007
【００８８】
この表５の結果から明らかなように、ソリッドイマージョンレンズと光記録媒体との傾きマージンは加工例１では＋／−０．０７度であり、加工例２〜４のソリッドイマージョンレンズは、光記録媒体との傾きマージンが０．１０°以上となっており、加工例１のレンズと比較して傾きマージンが更に大となっていることがわかる。
【００８９】
また、これら各例において、光記録媒体３０の集光位置から凸状部及び傾斜部の縁部までの角度θ１とθ２について、凸状部２の縁部の光軸からの長さｙに対する依存性を図２６に示す。
図２６からも、加工例２〜４においては、角度θ１及びθ２が共に、少なくとも０．１０°以上とすることができるものであるが、比較例３と比較して確実に傾きマージンを大とすることができることがわかる。
【００９０】
［４］実施例８
次に、ソリッドイマージョンレンズを構成する材料として、上述の第３の例と同様に高屈折率ガラスであるＳ−ＬＡＨ７９として、前述の各例と同様に、円錐形状の傾斜部を形成し、対物面を平面状に構成した加工例１を形成して、その先端部の凸状部をＦＩＢ法により加工形成し、傾きマージンについて評価した。この場合、比較例４における対物面の半径、すなわちその縁部の光軸からの距離は５０μｍとした。このときの光記録媒体との傾きマージンは＋／−０．０３°である。
【００９１】
加工例２においては、凸状部の縁部の光軸からの長さｙを１．８μｍ、高さｈを０．６８μｍとした。この場合の光記録媒体との傾きマージンは＋／−０．７８°であった。
加工例３においては、凸状部の縁部の光軸からの長さｙを１０．０μｍ、高さｈを３．７９μｍとした。この場合の光記録媒体との傾きマージンは＋／−０．１４°であった。
【００９２】
これら加工例１〜３における、凸状部の縁部の光軸からの長さｙと、高さｈ、レンズと光記録媒体との傾きマージンをまとめたものを以下の表６に示す。
【００９３】
【表６】
2005302265.tif 000008
【００９４】
この表６の結果から明らかなように、ソリッドイマージョンレンズと光記録媒体との傾きマージンは加工例１では＋／−０．０３度であるが、加工例２及び３のソリッドイマージョンレンズは、光記録媒体との傾きマージンが０．１０°以上となっており、傾きマージンが更に大となっていることがわかる。
【００９５】
また、これら各例において、光記録媒体３０の集光位置から凸状部及び傾斜部の縁部までの角度θ１とθ２について、凸状部２の縁部の光軸からの長さｙに対する依存性を図２７に示す。
図２７からも、加工例２及び３においては、角度θ１及びθを共に、少なくとも０．１０°以上とすることができ、加工例１と比較して確実に傾きマージンを大とすることができることがわかる。
【００９６】
上述の各実施例５〜８における加工例１から明らかなように、ソリッドイマージョンレンズの先端側を円錐形状に加工するのみでは、光記録媒体との傾きマージンは＋／−０．１０°以上を達成することは難しいことがわかる。円錐形状の先端部を更に小径化して傾きマージンを増大化することは、機械加工の精度上極めて難しい。
【００９７】
これに対し、本発明構成によるソリッドイマージョンレンズは、傾斜部の先端部に凸状部を設ける構成とすることから、生産性よく容易に形成することができること、更に、上述の各実施例５〜８における加工例２〜４からも明らかなように、その形状を適切に選定することによって、傾きマージンを０．１０°以上とすることが可能であることがわかる。
【００９８】
次に、他の実施の形態の例として、図２８及び図２９に示す本発明構成のソリッドイマージョンレンズの先端部の概略構成図を参照して、その構成を入射光の経路とともに詳細に説明する。この場合、ソリッドイマージョンレンズ１１は、図示しないがその球状部を半球状又は超半球状とするもので、球状部の曲率半径をｒ、屈折率をｎ、光軸に沿う方向の厚さを半球状とする場合はｒ、超半球状とする場合はｒ（１＋１／ｎ）として、その対物側に、図２８に示すように例えば円錐形状の傾斜部４を設け、その先端部に前述の図１７において説明した例と同様に、光軸ｃと直交する平面と略平行な例えばリング状の平面部３を有し、その内側に円筒形状等の凸状部２を設けた場合を示す。
【００９９】
そしてこの例においては、球状部が超半球状とされ、その先端面５を、破線ｂで示す半径が略ｒ／ｎの球に略外接する形状に形成するものである。なお、球状部１が半球状の場合は、直径が略ｒの球に略外接する形状とする。図２８及び図２９において、図６及び図１７〜図１９と対応する部分には同一符号を付して重複説明を省略する。
図２８に示すように、破線ｂで示す半径略ｒ／ｎの球に先端面５が外接する領域は、例えば半径ｆの領域となる。
このような構成において、最大開口数を得る入射光Ｌｉが、図２７において矢印Ｌｉ１及びＬｉ２に示すように光軸がずれた場合においても、この半径ｆの領域において、対物面である凸状部２の先端面５に確実に集光させることができる。球状部が半球状とされる場合も、同様である。
この半径ｆについては、例えば入射光の光軸のずれ角度を考慮して、＋／−０．５°〜５°の範囲と考えると、例えば球状部の半径が０．５ｍｍ程度の場合は、５μｍから５０μｍ程度とすることが考えられる。
また、この場合破線ｂで示す球の半径がｒ／ｎから僅かにずれるとか、またこの球にややずれて外接する曲面形状とする場合においても、ソリッドイマージョンレンズに光を入射する側の光学系においてこれを補正できる範囲であれば、同様の入射角の傾きに対するマージンが得られる効果がある。球状部を半球状とする場合も同様である。
【０１００】
このような構成とすることによって、最大開口数を得る入射光が、その光軸がずれて入射された場合においても、ソリッドイマージョンレンズ１１を通過する光路の長さを変化させることなく入射光を対物面に集光して、光記録媒体３０に照射することができる。
したがって、光学レンズとの組み立て、接着工程においても、その位置合わせ精度のマージンを従来に比して大とすることができ、上述した光記録媒体との傾きマージンの増大化の効果と相俟って、従来困難であった超小径のソリッドイマージョンレンズを用いる場合においても、従来よりも容易に組み立て、製造することが可能となる。
なお、このように、ソリッドイマージョンレンズ１１の先端面５を半径略ｒ／ｎの球に外接、もしくは直径が略ｒの球に略外接させる加工は、対物側に凸状部を設けない場合にも適用可能であり、この場合においても、同様に入射光の傾きに対するマージンを得ることができる。
【０１０１】
このような先端面形状を有するソリッドイマージョンレンズの形成方法の一例を図３０Ａ〜Ｃの工程図を参照して説明する。
まず、図３０Ａに示すように、屈折率がｎである材料を用いて、例えば曲率半径ｒの略ボール状のレンズ材料体４１を形成する。そして、その中心位置と中心を同じくする破線ｂで示す半径が略ｒ／ｎの球に略外接するように、レンズ材料体４１の対物側を、破線Ｄで示すように、曲面状に機械加工等により加工形成する。
【０１０２】
そして、図３０Ｂに示すように、このようにして形成した半径略ｒ／ｎの球に略外接する形状の先端面５の周囲を、例えば円錐状に機械加工等により加工して、傾斜部４を形成する。
この後、図３０Ｃに示すように、例えばＦＩＢ法によって、先端面の周囲をエッチング加工して、凸状部２を形成して、前述の図２８及び図２９に示す形状のソリッドイマージョンレンズを形成することができる。
【０１０３】
以上述べたように、本発明のソリッドイマージョンレンズの形状を用いれば、高い開口数を得る入射光の光路を遮ることを確実に回避して、かつ光記録媒体との傾きマージンを大とすることにより、かつ、高開口数のソリッドイマージョンレンズを安定かつ容易に集光レンズに組み込んで形成することが可能となり、またその加工、組み立てを容易にすることによって、レンズの小径化を図ることができる。
【０１０４】
したがって、本発明構成のソリッドイマージョンレンズを用いることにより、従来に比して小径の集光レンズを構成することができ、これを組み込むピックアップ装置において、光学レンズの小型化によって、フォーカスサーボやトラッキングサーボやシーク時間等のサーボ特性の向上を図ることができ、光／光磁気記録媒体に対する記録再生の安定性を高めることが可能となるとともに、光学ピックアップ装置および光記録再生装置の小型化、薄型化、高性能化を図ることが可能となる。
【０１０５】
なお、本発明によるソリッドイマージョンレンズは、上述の各例に限定されることなく、本発明構成を逸脱しない範囲において、その他の形状を採用することができる。
例えば、凸状部及びその周囲の形状を、図３１及び図３３〜４０にその先端部を拡大した概略構成図を示すように、例えばＦＩＢ法によりエッチング加工することによって、種々の形状とすることができる。図４２及び図３３〜図４０において、図２８と対応する部分には、同一符号を付して重複説明を省略する。
【０１０６】
すなわち、例えば図３１に示す例においては、凸状部２の傾斜部を、外周側から先端面５に向かって段階的に傾斜する第１及び第２の傾斜部４１及び４２を設ける場合を示す。この場合においても、第1及び第２の傾斜部４１及び４２の各縁部４１Ａ及び４２Ａの光軸ｃからの距離及び傾斜角度を適切に選定することによって、入射光への影響を回避することができる。
【０１０７】
このようなソリッドイマージョンレンズの先端面近傍の形成過程の側面及び平面構成を図３２Ａ〜Ｃの工程図に示す。この場合、例えば図３２Ａに示すように、円錐形、角錐形等の第１の傾斜部４１を加工形成した後、図３２Ｂに示すように、先端面５と第１の傾斜面４１との縁部４１Ａを斜めに削るように、エッチング加工部６をＦＩＢ等のエッチング方法によって削り取る。これにより、図３２Ｃに示すように、外周側から光軸ｃに向かって第１及び第２の傾斜部４１及び４２が形成された凸状部２を容易に得ることができる。
【０１０８】
また、図３３に示すように、凸状部２の先端面の周囲に凹状曲面部４４を設けるとか、図３４に示すように、凸状曲面部４５を設けることもできる。
また、図３５に示すように、円柱状、角柱状等の凸状部２の周囲に平面部３を設け、更にその周囲に段差部４６を設ける構成とすることもできる。
【０１０９】
更にまた、図３６に示すように、凸状部２の周囲に、円錐状、角錐状等の段階的に角度が異なる傾斜部を設け、第１〜第３の傾斜部４１〜４３を設ける構成とすることもできる。
またその他、図３７に示すように、第１及び第２の傾斜部４１及び４２を設け、これら傾斜部４１及び４２の間に、光軸ｃと略直交する平面部３を設ける構成とするとか、或いは、図３８に示すように、凸状部２の先端を凸状曲面とするとか、図３９に示すように、円柱状、又は角柱状等の凸状部２の周囲を凹状曲面部４４として構成するなど、種々の形状を採ることができる。
【０１１０】
また、図４０に示すように、凸状部２を、破線ｂで示す半径が略ｒ／ｎの球（球状部が半球状とされる場合は、直径が略ｒの球）に略外接する曲面状とすることもできる。このような凸状部を有するソリッドイマージョンレンズの形成方法としては、例えば図４１Ａに示すように、機械加工等によって例えば円錐状の傾斜部４、平面状の先端面５を形成した後、図４１Ｂに示すように、先端面５の一部をＦＩＢ法等によって曲面状にエッチング加工を施す。破線ｂで示す球面に略外接するようにエッチング加工部６を除去することによって、図４１Ｃに示すように、半径略ｒ／ｎの球に略外接する凸状部２を形成することができる。
【０１１１】
以上説明した例の他、本発明によるソリッドイマージョンレンズは、上述の各構成による凸状部、傾斜部の形状を、光軸ｃを回転軸として回転させた回転対称形状としてもよく、またその他の非対称な形状とすることもできる。
特にディスク状の光記録媒体を対象とする集光レンズ、光学ピックアップ装置、光記録再生装置に適用する場合は、ディスク状媒体が傾き易い方向、すなわち半径方向の傾きマージンをより大とする形状を採用することが望ましい。具体的には、例えば円筒状の凸状部２を設ける場合に、その光軸と直行する断面において正方形、長方形、楕円形等とすることができる。例えば楕円形とする場合において、その短軸方向をディスクの半径方向であるいわゆるラジアル方向とし、ディスクの記録トラックの接線方向であるいわゆるタンジェンシャル方向と比較して、半径方向のいわゆるラジアル方向において、より傾きマージンを大とする構成とすることもできる。
【０１１２】
また、本発明によるソリッドイマージョンレンズにおいて、凸状部を半径が略ｒ／ｎ（球状部を半球状とする場合は直径が略ｒ）の球に略外接する形状とする場合において、上述したように、例えば半径ｒ／ｎの球の中心位置を、球状部の中心位置から僅かにずらせる場合、また半径が僅かにｒ／ｎからずれた球に外接する形状とする場合などにおいても、入射側の光学系においてこれを補正できる範囲であれば本発明による効果が得られるものであり、このように、本発明構成を逸脱しない範囲において、先端部形状を各種選択することができることはいうまでもない。
これら各先端部の形状において、その凸状部、傾斜部の角度や長さを選定することによって、最大開口数を得る入射光を妨げない形状とすることができる。
またその他の部分を含め、ソリッドイマージョンレンズの材料構成において、本発明は、上述の例に限定されることなく、種々の変形、変更が可能であることはいうまでもない。
【図面の簡単な説明】
【０１１３】
【図１】本発明によるソリッドイマージョンレンズ及び集光レンズの一例の概略構成図である。
【図２】本発明による集光レンズの一例の概略構成図である。
【図３】本発明による光学ピックアップ装置の一例の概略構成図である。
【図４】本発明による光学ピックアップ装置の一例の概略構成図である。
【図５】本発明による光学ピックアップ装置の一例の概略構成図である。
【図６】本発明によるソリッドイマージョンレンズの一例の概略構成図である。
【図７】Ａは本発明によるソリッドイマージョンレンズの一例の概略側面構成図である。Ｂは本発明によるソリッドイマージョンレンズの一例の概略平面構成図である。
【図８】Ａは本発明によるソリッドイマージョンレンズの一例の概略側面構成図である。Ｂは本発明によるソリッドイマージョンレンズの一例の概略平面構成図である。
【図９】ソリッドイマージョンレンズの開口数の説明に供する概略構成図である。
【図１０】Ａはソリッドイマージョンレンズの一例の概略構成図である。Ｂはソリッドイマージョンレンズの一例の概略構成図である。Ｃはソリッドイマージョンレンズの一例の概略構成図である。Ｄはソリッドイマージョンレンズの一例の概略構成図である。
【図１１】本発明によるソリッドイマージョンレンズの一例の要部の概略構成図である。
【図１２】本発明によるソリッドイマージョンレンズの一例の要部の概略構成図である。
【図１３】比較例によるソリッドイマージョンレンズの一例の要部の概略構成図である。
【図１４】本発明によるソリッドイマージョンレンズの一例の要部の概略構成図である。
【図１５】本発明によるソリッドイマージョンレンズの一例の要部の概略構成図である。
【図１６】比較例によるソリッドイマージョンレンズの一例の要部の概略構成図である。
【図１７】本発明によるソリッドイマージョンレンズの一例の要部の概略構成図である。
【図１８】本発明によるソリッドイマージョンレンズの一例の要部の概略構成図である。
【図１９】本発明によるソリッドイマージョンレンズの一例の要部の概略構成図である。
【図２０】Ａは本発明のソリッドイマージョンレンズの形成方法の一例の一工程図である。Ｂは本発明のソリッドイマージョンレンズの形成方法の一例の一工程図である。Ｃは本発明のソリッドイマージョンレンズの形成方法の一例の一工程図である。
【図２１】ソリッドイマージョンレンズの比較例の概略構成図である。
【図２２】ソリッドイマージョンレンズの比較例の要部の概略構成図である。
【図２３】ソリッドイマージョンレンズの比較例の要部の概略構成図である。
【図２４】ソリッドイマージョンレンズの一例の凸状部の縁部の光軸からの長さに対する傾きマージンの依存性を示す図である。
【図２５】ソリッドイマージョンレンズの一例の凸状部の縁部の光軸からの長さに対する傾きマージンの依存性を示す図である。
【図２６】ソリッドイマージョンレンズの一例の凸状部の縁部の光軸からの長さに対する傾きマージンの依存性を示す図である。
【図２７】ソリッドイマージョンレンズの一例の凸状部の縁部の光軸からの長さに対する傾きマージンの依存性を示す図である。
【図２８】本発明によるソリッドイマージョンレンズの一例の要部の概略構成図である。
【図２９】本発明によるソリッドイマージョンレンズの一例の要部の概略構成図である。
【図３０】Ａは本発明のソリッドイマージョンレンズの形成方法の一例の一工程図である。Ｂは本発明のソリッドイマージョンレンズの形成方法の一例の一工程図である。Ｃは本発明のソリッドイマージョンレンズの形成方法の一例の一工程図である。
【図３１】本発明によるソリッドイマージョンレンズの一例の要部の概略構成図である。
【図３２】Ａは本発明のソリッドイマージョンレンズの形成方法の一例の一工程図である。Ｂは本発明のソリッドイマージョンレンズの形成方法の一例の一工程図である。Ｃは本発明のソリッドイマージョンレンズの形成方法の一例の一工程図である。
【図３３】本発明によるソリッドイマージョンレンズの一例の要部の概略構成図である。
【図３４】本発明によるソリッドイマージョンレンズの一例の要部の概略構成図である。
【図３５】本発明によるソリッドイマージョンレンズの一例の要部の概略構成図である。
【図３６】本発明によるソリッドイマージョンレンズの一例の要部の概略構成図である。
【図３７】本発明によるソリッドイマージョンレンズの一例の要部の概略構成図である。
【図３８】本発明によるソリッドイマージョンレンズの一例の要部の概略構成図である。
【図３９】本発明によるソリッドイマージョンレンズの一例の要部の概略構成図である。
【図４０】本発明によるソリッドイマージョンレンズの一例の要部の概略構成図である。
【図４１】Ａは本発明のソリッドイマージョンレンズの形成方法の一例の一工程図である。Ｂは本発明のソリッドイマージョンレンズの形成方法の一例の一工程図である。Ｃは本発明のソリッドイマージョンレンズの形成方法の一例の一工程図である。
【図４２】Ａは従来のソリッドイマージョンレンズの一例の概略側面構成図である。Ｂは従来のソリッドイマージョンレンズの一例の概略平面構成図である。
【符号の説明】
【０１１４】
１．球状部、２．凸状部、２Ａ．縁部、３．平面部、４．傾斜部、４Ａ．縁部、５．先端面、６．エッチング加工部、９．対物面、１１．ソリッドイマージョンレンズ、１２．光学レンズ、１３．集光レンズ、１４．第１のビームスプリッタ、１５．第２のビームスプリッタ、１６．２軸アクチュエータ、１７．トラッキング用コイル、１８．フォーカシング用コイル、２０．保持体、２１．スライダ、２２．ジンバル、２３．ミラー、３０．光記録媒体、４１．第１の傾斜部、４１Ａ．縁部、４２．第２の傾斜部、４２Ａ．縁部、４３．第３の傾斜部、４４．凹状曲面部、４５．凸状曲面部、４６．段差部
【図１】
2005302265.tif 000009
【図２】
2005302265.tif 000010
【図３】
2005302265.tif 000011
【図４】
2005302265.tif 000012
【図５】
2005302265.tif 000013
【図６】
2005302265.tif 000014
【図７】
2005302265.tif 000015
【図８】
2005302265.tif 000016
【図９】
2005302265.tif 000017
【図１０】
2005302265.tif 000018
【図１１】
2005302265.tif 000019
【図１２】
2005302265.tif 000020
【図１３】
2005302265.tif 000021
【図１４】
2005302265.tif 000022
【図１５】
2005302265.tif 000023
【図１６】
2005302265.tif 000024
【図１７】
2005302265.tif 000025
【図１８】
2005302265.tif 000026
【図１９】
2005302265.tif 000027
【図２０】
2005302265.tif 000028
【図２１】
2005302265.tif 000029
【図２２】
2005302265.tif 000030
【図２３】
2005302265.tif 000031
【図２４】
2005302265.tif 000032
【図２５】
2005302265.tif 000033
【図２６】
2005302265.tif 000034
【図２７】
2005302265.tif 000035
【図２８】
2005302265.tif 000036
【図２９】
2005302265.tif 000037
【図３０】
2005302265.tif 000038
【図３１】
2005302265.tif 000039
【図３２】
2005302265.tif 000040
【図３３】
2005302265.tif 000041
【図３４】
2005302265.tif 000042
【図３５】
2005302265.tif 000043
【図３６】
2005302265.tif 000044
【図３７】
2005302265.tif 000045
【図３８】
2005302265.tif 000046
【図３９】
2005302265.tif 000047
【図４０】
2005302265.tif 000048
【図４１】
2005302265.tif 000049
【図４２】
2005302265.tif 000050